(57)【要約】      （修正有）【課題】靴下、タイツ等を陳列するトルソーにおいて、店頭に陳列しない時（販売店への輸送時、販売店での保管時）等に体積を縮小して嵩張らないようにする。【解決手段】折り畳みトルソー１００は、平面状のシートを立体状に組み立てて、人が足に履くソックス２００を陳列する。このトルソー１００は、人の足先の位置から足指元と太腿との間における任意の位置までの側面を模した左右側面と、左右側面を略平行に連結する箱体とを備える。左右側面が離隔した状態（図１（Ｃ）に示す第１側面１１２と第２側面１１４とが離隔した陳列状態）から近接した状態（図１（Ａ）に示す第１側面１１２と第２側面１１４とが近接した保管状態）へ、この箱体が折り畳み可能に構成されている。【選択図】図１
0003215645.tif 000002
【実用新案登録請求の範囲】
【請求項１】
平面状のシートを立体状に組み立てて、人が足に履く足被覆衣類を陳列するためのトルソーであって、
人の足先の位置から足指元と太腿との間における任意の位置までの側面を模した左右側面と、
前記左右側面を略平行に連結する箱体とを備え、
前記箱体が、前記左右側面が離隔した状態から近接した状態へ折り畳み可能に構成されたことを特徴とする折り畳みトルソー。
【考案の詳細な説明】
【技術分野】
【０００１】
本考案は、靴下等の足被覆衣類の展示、販売、販売促進等のために足被覆衣類（靴下、ハイソックス、ストッキング、タイツ等）を販売店での店頭で陳列する紙、プラスチック、金属等の素材からなる平面状のシートを立体状に組み立てるトルソーに関し、特に、店頭に陳列しない時（販売店への輸送時、販売店での保管時）等に体積を縮小して嵩張ることがなく、既存の什器を用いて陳列することのできる折り畳みトルソーに関する。
【背景技術】
【０００２】
従来、百貨店、洋品店、量販店等（以下において販売店と纏めて記載する場合がある）において、上半身衣類および下半身衣類（足被覆衣類を含む）その他の衣料品を販売するにあたっては、立体的な人体形状のマネキンにこれらの衣類を着せて陳列したり、一部の人体形状を模したトルソー（腕、顔および下半身がない上半身だけのボディトルソー、上半身がない下半身だけのレッグトルソー）に衣類を着せて陳列したりしている。
【０００３】
下半身衣類、特に足被覆衣類（靴下、ハイソックス、ストッキング、タイツ等）については、足被覆衣類のシルエットを綺麗に出すことが依然として実現できていないことに鑑み、本願出願人により出願された実用新案登録第３２００６６７号公報（特許文献１）にレッグトルソーが開示されている。
このレッグトルソーは、平面状のシートが立体的に組み立てられた、人が足に履く足被覆衣類を陳列するためのレッグトルソーであって、人の足先から脚または太腿までの側面を模した左右側面と、前記左右側面を略平行に連結する複数の連結面とを備え、前記左右側面のいずれか一方の側面における足先逆側には穴部が設けられ、前記穴部には棒状部材を係止する係止部が前記穴部と一体化されて設けられ、前記レッグトルソーは、前記係止部に対応した位置であって前記左右側面の間の位置に、前記左右側面に略平行に設けられた、前記棒状部材を係止する係止面をさらに備え、前記レッグトルソーは、前記左右側面の足先逆側の端部を平面に当接させることにより前記平面に対して立設可能であることを特徴とする。
【０００４】
このレッグトルソーによると、靴下、タイツ等の足被覆衣類の陳列に好適に用いられ、安価で、トルソーに被せない部分を綺麗に隠して、既存の什器を用いて陳列することができる。
【先行技術文献】
【特許文献】
【０００５】
【特許文献１】実用新案登録第３２００６６７号公報
【考案の概要】
【考案が解決しようとする課題】
【０００６】
この特許文献１に開示されたレッグトルソーは好評を得ているのであるが、平面状のシートが立体的に組み立てられて完成して分解不可能なレッグトルソーであるために、店頭に陳列しない時（販売店への輸送時、販売店での保管時）等に大きな体積であるために嵩張ってしまい大きな収納場所が必要になるという問題点がある。
本考案は、従来技術の上述の問題点に鑑みて開発されたものであり、その目的とするところは、靴下、タイツ等の足被覆衣類の陳列に好適に用いられ、平面状のシートを立体状に組み立てるトルソーであって、特に、店頭に陳列しない時（販売店への輸送時、販売店での保管時）等に体積を縮小して嵩張ることがなく、既存の什器を用いて陳列することのできる折り畳みトルソーを提供することを目的とする。
【０００７】
なお、本考案に係る折り畳みトルソーが好適に適用される足被覆衣類には、靴下（ソックス）のみならず（靴下の丈の長さは特に限定されない）、パンティ部を備えたパンティーストッキングおよびタイツ（これらの一部（足首より先の部分やパンティ部等）を欠落させた、スパッツ、レギンスおよびトレンカ等と呼ばれるものを含む）を含む。
【課題を解決するための手段】
【０００８】
上記目的を達成するため、本考案に係るレッグトルソーは以下の技術的手段を講じてい
る。
すなわち、本考案に係る折り畳みトルソーは、平面状のシートを立体状に組み立てて、人が足に履く足被覆衣類を陳列するためのトルソーであって、人の足先の位置から足指元（足指の根元）と太腿との間における任意の位置までの側面を模した左右側面と、前記左右側面を略平行に連結する箱体とを備え、前記箱体が、前記左右側面が離隔した状態から近接した状態へ折り畳み可能に構成されたことを特徴とする。
【考案の効果】
【０００９】
本考案に係る折り畳みトルソーによると、靴下、タイツ等の足被覆衣類の陳列に好適に用いられ、平面状のシートを立体状に組み立てるトルソーであって、特に、店頭に陳列しない時（販売店への輸送時、販売店での保管時）等に体積を縮小して嵩張ることがなく、既存の什器を用いて陳列することのできる折り畳みトルソーを提供することができる。
【図面の簡単な説明】
【００１０】
【図１】（Ａ）本考案の実施の形態に係る折り畳みトルソーの全体を示す平面図および側面図、（Ｂ）折り畳みトルソーの組み立て手順を説明するための図（その１）、（Ｃ）折り畳みトルソーの組み立て手順を説明するための図（その２）、（Ｄ）折り畳みトルソーを使用した商品陳列状態を説明するため斜視図、である。
【図２】図１の折り畳みトルソーを分解した、（Ａ）左右側部を示す平面図、（Ｂ）箱体を示す平面図、である。
【考案を実施するための形態】
【００１１】
以下、本考案の実施の形態に係る紙製の折り畳みトルソー１００（以下において単にトルソー１００と記載する場合がある）を、図面に基づき詳しく説明する。なお、以下の説明においては、紙の素材からなる平面状のシートを立体状に組み立てる折り畳みトルソー１００について説明するが、本考案はこれに限定されるものではなく、紙の素材を含み、プラスチックや金属等の素材からなる平面状のシートを立体状に組み立てた折り畳み可能なトルソーであっても構わない。
【００１２】
図１（Ａ）に示すこの折り畳みトルソー１００の全体を示す平面図および側面図、図１（Ｂ）および図１（Ｃ）に示すこの折り畳みトルソー１００の組み立て手順を説明するための図、図１（Ｄ）に示すこの折り畳みトルソー１００を使用した商品陳列状態を説明するため斜視図、ならびに、図２（Ａ）に示すこの折り畳みトルソー１００を構成する（分解した状態を示す）左右側部１１０を示す平面図および図２（Ｂ）に示すこの折り畳みトルソー１００を構成する（分解した状態を示す）箱体１６０の平面図を参照して、この折り畳みトルソー１００について説明する。
【００１３】
この折り畳みトルソー１００は、図２（Ａ）に示す左右側部１１０および箱体１６０から構成され、図２（Ａ）および図２（Ｂ）に示す平面状の紙が図１（Ｃ）に示す立体状に組み立て可能、かつ、図１（Ａ）に示す平面状に折り畳み可能に構成されている。そして、この折り畳みトルソー１００に人が足に履く足被覆衣類（タイツやパンティストッキングやソックス等であるがここではソックス２００）が被せられて図１（Ｄ）に示すように足被覆衣類が陳列される。
【００１４】
この折り畳みトルソー１００は、以下に示すような技術的特徴を備える。この折り畳みトルソー１００は、平面状のシート（ここでは紙）を立体状に組み立てる、人が足に履く足被覆衣類（ここではソックス２００）を陳列するためのトルソーである。この折り畳みトルソー１００は、人の足先の位置から足指元と太腿との間における任意の位置（ここでは任意の位置は足首）までの側面を模した左右側面１１０（より詳しくは第１側面１１２および第２側面１１４）と、左右側面１１０を略平行に連結する箱体１６０とを備える。そして、大きな技術的特徴として、左右側面１１０が離隔した状態（図１（Ｃ）に示す第１側面１１２と第２側面１１４とが離隔した陳列状態）から近接した状態（図１（Ａ）に示す第１側面１１２と第２側面１１４とが近接した保管状態）へ、この箱体１６０が折り畳み可能に構成されている。
【００１５】
なお、本考案に係る折り畳みトルソーの左右側面における始点は人の足先の位置であるが、その終点を足指元と太腿との間における任意の位置のうちの踵として足被覆衣類をフ
ットカバーとしても構わないし、その終点を足指元と太腿との間における任意の位置のうちの足指元として足被覆衣類を爪先部だけのフットカバーとしても構わないし、その終点を足指元と太腿との間における任意の位置のうちの太腿として足被覆衣類を（パンティ部を備えない）ストッキングとしても構わない。
【００１６】
このような技術的特徴を備えた折り畳みトルソー１００について、さらに詳しく説明する。
図２（Ａ）および図２（Ｂ）を参照して、この折り畳みトルソー１００を構成する、左右側部１１０（図２（Ａ））および箱体１６０（図２（Ｂ））について詳しく説明する。なお、図２（Ａ）に示す左右側部１１０を形成する紙の厚みｔ（１）は、図２（Ｂ）に示す箱体１６０を形成する紙の厚みｔ（２）よりも厚く、たとえば、厚みｔ（１）は厚みｔ（２）の３〜５倍程度である。
【００１７】
図２（Ａ）を参照して、左右側部１１０は、人の足先の位置から足指元と太腿との間における任意の位置（ここでは任意の位置は足首）までの側面を模した互いに左右対称な第１側面１１２および第２側面１１４と、これらの第１側面１１２と第２側面１１４とを連結する連結面１１６とを備える。第１側面１１２および第２側面１１４における足先逆側（足首側）には第１穴部１１２Ｈおよび第２穴部１１４Ｈが設けられている。これらの第１穴部１１２Ｈおよび第２穴部１１４Ｈの位置は、この折り畳みトルソー１００が組み立てられた場合に（第１側面１１２と第２側面１１４とが離隔するように組み立てられた場合に）箱体１６０が干渉しない位置である。これらの第１穴部１１２Ｈおよび第２穴部１１４Ｈには、図１（Ｄ）に示すように棒状部材（フック３００）が係止されて、この折り畳みトルソーが吊り下げられて陳列される。
【００１８】
図２（Ｂ）を参照して、箱体１６０は、上述した干渉を回避できる長さ（紙面上下方向長さかつ陳列時の上下方向長さ）を備え第１側面１１２に貼付される第１貼付面１６２および第２側面１１４に貼付される第２貼付面１６４と、これらと同じ長さを備え第１貼付面１１２と第２貼付面とを連結する箱体側面１６６と、箱体側面１６６から連続して設けられた上面１７０および下面１８０とを備える。さらに、箱体１６０が立体形状を保持するために、箱体１６０は、第１貼付面１６２から延設されたフラップ１７２およびフラップ１８２と、第２貼付面１６４から延設されたフラップ１７４およびフラップ１８４と、上面１７０から延設されたフラップ１７６と、下面１８０から延設されたフラップ１８６とを備える。
【００１９】
このような図２（Ｂ）に示す箱体１６０の第１貼付面１６２の紙面表面が第１側面１１２の紙面表面に貼り付けられる。このとき、図２（Ａ）の２点鎖線で示す位置に箱体１６０が左右側面１１０に貼り付けられて、この折り畳みトルソー１００が完成する。このとき、図１（Ａ）に示す保管状態で完成する。この保管状態から、図１（Ｃ）および図１（Ｄ）に示す陳列状態へは、以下に示す手順により、この折り畳みトルソー１００を立体化する。
【００２０】
図１（Ａ）に示す保管状態から、変形途中状態を表した図１（Ｂ）の黒塗り矢示で示すように、折り畳みトルソー１００の左右側部１１０の第１側面１１２および第２側面１１４を立ち上げる。このとき、図２（Ａ）に示す１点鎖線が谷線に、図２（Ｂ）に示すフラップ以外の点線が山線に略直角にそれぞれ折り曲げられる。これにより、折り畳まれていたトルソー１００の左右側部１１０の第１側面１１２および第２側面１１４が立ち上げられる。次に、変形途中状態を表した図１（Ｃ）の黒塗り矢示で示すように、図２（Ｂ）に示すフラップの点線が山線に略直角にそれぞれ折り曲げられる。これらのフラップの折り曲げにより箱体１６０が立体形状を保持することができるようになる。
【００２１】
このようにして、左右側面１１０が近接した状態（図１（Ａ）に示す第１側面１１２と第２側面１１４とが近接した保管状態）から離隔した状態（図１（Ｃ）に示す第１側面１１２と第２側面１１４とが離隔した陳列状態）へ変形されて、平面状の折り畳みトルソー１００が立体状の陳列状態へ変形されて組み立てられる。
なお、左右側面１１０が離隔した状態（図１（Ｃ）に示す第１側面１１２と第２側面１１４とが離隔した陳列状態）から近接した状態（図１（Ａ）に示す第１側面１１２と第２
側面１１４とが近接した保管状態）へは、上述した逆の手順により、立体状の折り畳みトルソー１００が平面状の保管状態へ変形されて折り畳まれる。
【００２２】
このようにして保管状態から陳列状態へ変形した折り畳みトルソー１００に足被覆衣類であるソックス２００を被せる。そして、図１（Ｄ）に示すように、従来の什器が備える棒状部材（フック３００）を、第１穴部１１２Ｈおよび第２穴部１１４Ｈに係止して足被覆衣類を被せた折り畳みトルソー１００の全体を吊り下げて陳列させる。このように、従来の什器を用いて陳列することができる。
【００２３】
以上のようにして、本実施の形態に係る折り畳みトルソー１００によると、靴下、タイツ等の足被覆衣類の陳列に好適に用いられ、平面状のシートを立体状に組み立てるトルソーであって、特に、店頭に陳列しない時（販売店への輸送時、販売店での保管時）等に体積を縮小して嵩張ることがなく、既存の什器を用いて陳列することのできる折り畳みトルソーを提供することができる。
【００２４】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２５】
本考案は、靴下、タイツ等の足被覆衣類の陳列に好適であり、店頭に陳列しない時（販売店への輸送時、販売店での保管時）等に体積を縮小して嵩張ることがなく、既存の什器を用いて陳列することのできる点で特に好適である。
【符号の説明】
【００２６】
１００  折り畳みトルソー
１１０  左右側面
１１２  第１側面
１１４  第２側面
１１６  連結面
１６０  箱体
１６２  第１貼付面
１６４  第２貼付面
１６６  箱体側面
１７０  上面
１７２、１７４、１７６  （上面の）フラップ
１８０  下面
１８２、１８４、１８６  （下面の）フラップ
２００  ソックス（足被覆衣類）
３００  フック（棒状部材）
【図１】
0003215645.tif 000003
【図２】
0003215645.tif 000004